(57)【要約】【課題】水の浄化機能に関わる酔うな大掛かりな設備の付加を要することなく、又、薬剤等を使用することなく簡単に発泡スカムを液状化させてこれを処理することができる発泡スカムの処理方法を提供すること。【解決手段】好気性微生物を用いて水中の不純物を浄化する活性汚泥処理において、放線菌の活動によって発生した発泡スカム１１を別の容器１２に移し、該容器１２に外部から物理的な力（容器１２の落下、振動の付与、打撃による衝撃の付与）を加えることによって、容器１２内の発泡スカム１１を消泡させて液状化させる。そして、液状化した汚泥を、余剰汚泥として系外に排出する汚泥に混合し、混合した汚泥を脱水機１５で濃縮脱水して産業廃棄物（脱水ケーキ）として処理する。【選択図】図１
2005230588.tif 000002
【特許請求の範囲】
【請求項１】
好気性微生物を用いて水中の不純物を浄化する活性汚泥処理において、放線菌の活動によって発生した発泡スカムを別の容器に移し、該容器に外部から物理的な力を加えることによって、容器内の発泡スカムを消泡させて液状化させることを特徴とする発泡スカムの処理方法。
【請求項２】
前記容器を落下させてこれに外部から前記物理的な力を加えることを特徴とする請求項１記載の発泡スカムの処理方法。
【請求項３】
前記容器に振動を与えてこれに外部から前記物理的な力を加えることを特徴とする請求項１記載の発泡スカムの処理方法。
【請求項４】
前記容器に打撃による衝撃を与えてこれに外部から前記物理的な力を加えることを特徴とする請求項１記載の発泡スカムの処理方法。
【請求項５】
前記容器内で液状化した汚泥を、余剰汚泥として系外に排出する汚泥に混合し、混合した汚泥を脱水機で濃縮脱水し或は加熱することで脱水乾燥することを特徴とする請求項１〜４の何れかに記載の発泡スカムの処理方法。
【発明の詳細な説明】
【技術分野】
【０００１】
本発明は、活性汚泥処理において放線菌の活動によって発生した発泡スカムの処理方法に関するものである。
【背景技術】
【０００２】
好気性微生物を用いて排水中の不純物を浄化する活性汚泥処理においては、排水を曝気槽において活性汚泥と混合して曝気し、好気性処理により排水中の有機固形物を分解した後、曝気処理後の汚泥混合液を沈澱池に導き、ここで活性汚泥及び非生物分解性物質の固形分と水とに分離し、上澄水を処理水として排出する一方、固形分はその一部を曝気槽に返送して活性汚泥として利用し、残部を余剰汚泥として排出している。
【０００３】
ところで、曝気槽では好気性菌である放線菌にとって必要な酸素が十分与えられるために該放線菌が異常に増殖することがある。そして、活性汚泥中の放線菌濃度が高まると、放線菌が生物由来の界面活性剤様の物質を放出し、気泡と共に水面に浮上するが、このとき、汚泥フロックの一部がこの気泡と放線菌放出物とに付着して浮上するため、これらが発泡スカムとなって曝気槽の表面に蓄積していく。
【０００４】
発泡スカムは、曝気槽から沈澱池に流入し、沈澱池で固液分離されず処理水に混入して水質の悪化を招いたり、風に吹き飛ばされたり、発泡が激しいときには曝気槽からオーバーフローしたりして、周囲の環境を汚染したりすることがある。
【０００５】
そこで、曝気槽や沈澱池には、発泡スカムを除去するためのスカムスキマー等のスカム除去装置が設けられている。その他、発泡スカムの処理方法としては、浮遊する発泡スカムに水を散水してスカムを物理的に破砕する消泡散水法がある。又、生物学的に放線菌を抑制する方法として、放線菌の増殖速度以上の速さで汚泥として系外に排出する汚泥滞留時間制御法（例えば、特許文献１参照）等が従来から知られている。
【０００６】
又、近年、発泡スカムの除去或は発生を抑制するための種々の提案がなされている。例えば、活性汚泥処理設備の曝気槽や沈澱池において発生した発泡スカムをスカムスキマーで排出したスカム水に対して種々の殺菌手段（オゾンの注入、紫外線の照射、塩素系殺菌剤の添加、超音波の利用等）を施したり（特許文献２参照）、沈澱池からの汚泥を曝気槽に返送する前に、別の返送汚泥曝気槽に導入して意図的にスカムを生成させて除去し、返送汚泥中の放線菌濃度を低下させてから汚泥を曝気槽に返送する方法が提案されている（特許文献３参照）。
【０００７】
更に、消泡散水法において、消泡水に加水分解酵素を直接添加して放線菌を溶菌する方法（特許文献４）、スカム解消剤を活性汚泥処理系に添加して放線菌による発泡スカムの発生を抑制する方法（特許文献５参照）等も提案されている。
【０００８】
【特許文献１】特開平８−３０９３８３号公報
【特許文献２】特開平６−２６２１６７号公報
【特許文献３】特開平８−２９９９８０号公報
【特許文献４】特開平８−１１２５９１号公報
【特許文献５】特開平１１−２６７６８１号公報
【発明の開示】
【発明が解決しようとする課題】
【０００９】
ところが、従来の方法では、その方法を実施するための大掛かりな設備が付加されるために装置のコストアップを招いたり、消泡剤や殺菌剤等の薬剤を用いるために処理水が汚れる等の問題があった。
【００１０】
本発明は上記問題に鑑みてなされたもので、その目的とする処は、水の浄化機能に関わるような大掛かりな設備の付加を要することなく、又、薬剤等を使用することなく簡単に発泡スカムを液状化させてこれを処理することができる発泡スカムの処理方法を提供することにある。
【課題を解決するための手段】
【００１１】
上記目的を達成するため、請求項１記載の発明は、好気性微生物を用いて水中の不純物を浄化する活性汚泥処理において、放線菌の活動によって発生した発泡スカムを別の容器に移し、該容器に外部から物理的な力を加えることによって、容器内の発泡スカムを消泡させて液状化させることを特徴とする。
【００１２】
請求項２記載の発明は、請求項１記載の発明において、前記容器を落下させてこれに外部から前記物理的な力を加えることを特徴とする。
【００１３】
請求項３記載の発明は、請求項１記載の発明において、前記容器に振動を与えてこれに外部から前記物理的な力を加えることを特徴とする。
【００１４】
請求項４記載の発明は、請求項１記載の発明において、前記容器に打撃による衝撃を与えてこれに外部から前記物理的な力を加えることを特徴とする。
【００１５】
請求項５記載の発明は、請求項１〜４の何れかに記載の発明において、前記容器内で液状化した汚泥を、余剰汚泥として系外に排出する汚泥に混合し、混合した汚泥を脱水機で濃縮脱水し或は加熱することで脱水乾燥することを特徴とする。
【発明の効果】
【００１６】
本発明者の実験によれば、活性汚泥処理において放線菌の活動によって発生した発泡スカムを別の容器に移し、該容器に外部から物理的な力（落下による衝撃、振動、打撃による衝撃等）を加えれば、容器内の発泡スカムが消泡して液状化することが確認された。
【００１７】
従って、請求項１〜４記載の発明によれば、設備の付加を要することなく、又、薬剤等を使用することなく、単に容器に外部から物理的な力を加えるだけで簡単に発泡スカムを液状化させてこれを処理することができる。
【００１８】
又、請求項５記載の発明によれば、容器内で予め液状化した汚泥を、余剰汚泥として系外に排出する汚泥と共に脱水機で発泡することなく濃縮脱水できるようにしたため、脱水によって得られた脱水ケーキを無害な産業廃棄物として処理することができる。勿論、加熱することで脱水乾燥させることができる。
【発明を実施するための最良の形態】
【００１９】
以下に本発明の実施の形態を添付図面に基づいて説明する。
【００２０】
図１は本発明方法を実施するための活性汚泥処理設備の模式図であり、同図において、１は曝気槽であって、この曝気槽１には、流入管２を経て下水や排水等の原水が導入される。
【００２１】
そして、曝気槽１においては、散気管３から噴射される空気によって曝気しながら活性汚泥法によって生物処理が施され、原水中の有機物が分解される。尚、散気管３にはコンプレッサ４から圧縮空気が供給されている。
【００２２】
而して、曝気槽１にて曝気処理された後の汚泥混合液は、移送管５を経て沈澱池６に導入され、ここで活性汚泥及び非生物分解性の固形分（分離汚泥と称する）と水とに分離され、上澄水は処理水として排水管７から排出される一方、分離汚泥は分離汚泥排出管８から取り出され、その一部は返送汚泥として返送管９から前記曝気槽１に返送されて生物処理に供される。又、残余の分離汚泥は、余剰汚泥として排出される。
【００２３】
ところで、曝気槽１では好気性菌である放線菌にとって必要な酸素が十分与えられるために該放線菌が異常に増殖する。そして、活性汚泥中の放線菌濃度が高まると、放線菌が生物由来の界面活性剤様の物質を放出し、気泡と共に水面に浮上するが、このとき、汚泥フロックの一部が気泡に付着して浮上するため、これらが発泡スカム１１となって曝気槽１の表面に蓄積していく。
【００２４】
而して、本実施の形態では、曝気槽１内の水面上に層を成して浮遊している発泡スカム１１を不図示の柄杓等によってすくい取って別の容器１２に移し、この容器１２に外部から物理的な力を加えるようにした。
【００２５】
ここで、容器１２に外部から物理的な力を加える具体的な例としては、図２〜図３に示すような方法が考えられる。
【００２６】
即ち、図２に示す例は、容器１２を地面に落下させてこれに外部から衝撃を与える方法であり、図３（ａ）に示す例は、偏心カム１３の回転によって容器１２を上下に振動させる方法であり、同図（ｂ）は容器１２を振動子１４に固定してこれに上下振動を与える方法である。又、図４に示す例は、容器１２を打撃してこれに衝撃を与える方法であり、その具体的な方法としては、足で容器１２を蹴ったり、棒等で容器１２を叩く等の動作が含まれる。
【００２７】
ところで、本発明者の実験によれば、図２に示す例によって容器１２に外部から衝撃を加えたことで、容器１２内の発泡スカム１１が消泡して液状化することが確認された。具体的には、初め容量：１００Ｌ（リットル）であった発泡スカムが、繰り返し３回の落下の実施で５Ｌにまで減容し、発泡の無い液状となった。
【００２８】
従って、本実施の形態によれば、水の浄化機能に関わるような大掛かりな設備の付加を要することなく、又、薬剤等を使用することなく、単に容器１２に外部から物理的な力を加えるだけで簡単に発泡スカム１１を液状化させてこれを処理することができる。具体的には、図５（ａ）に示すように、例えば容積１００Ｌの容器１２内に略同量の発泡スカム１１を移し、図２〜図４に示す何れかの方法によって容器１２に外部から物理的な力を加えると、図５（ｂ）に示すように、容器１２内の発泡スカム１１が液状化してその容積が５Ｌ、つまり１／２０にまで縮小した。
【００２９】
このような装置は、水の浄化機能に関わる設備とは別個に設置することができ、又、設置場所も選ばず、使用しないときは撤去することもできる。勿論、水の浄化機能に影響を与えることもない。
【００３０】
そして、本実施の形態では、図１に示すように、発泡スカム１１を容器１２内で液状化させるため、沈澱池６から排出される前記余剰汚泥と混合し、混合した汚泥を脱水機１５で濃縮脱水することができる。従って、曝気槽１にて発生した発泡スカム１１を最終的には余剰汚泥と共に脱水処理して固形物である脱水ケーキに変えることができ、この脱水ケーキを無害な産業廃棄物として処理することができる。又、加熱することで、脱水乾燥することもできる。
【産業上の利用可能性】
【００３１】
本発明は、処理活性汚泥処理において放線菌の活動によって発生した発泡スカムの処理方法としての利用可能性が高い。
【図面の簡単な説明】
【００３２】
【図１】本発明方法を実施するための活性汚泥処理設備の模式図である。
【図２】容器に外部から物理的な力を加える例として容器を落下させる方法を示す図である。
【図３】（ａ），（ｂ）は容器に外部から物理的な力を加える例として容器に振動を与える方法を示す図である。
【図４】容器に外部から物理的な力を加える例として容器に打撃による衝撃を与える方法を示す図である。
【図５】（ａ）は容器に物理的な力を加える前の容器内の状態を示す図、（ｂ）は容器に物理的な力を加えた後の容器内の状態を示す図である。
【符号の説明】
【００３３】
１    曝気槽
２    流入管
３    散気管
４    コンプレッサ
５    移送管
６    沈澱池
７    排水管
８    分離汚泥排出管
９    返送管
１０  汚泥フロック
１１  発泡スカム
１２  容器
１３  偏心カム
１４  振動子
１５  脱水機
【図１】
2005230588.tif 000003
【図２】
2005230588.tif 000004
【図３】
2005230588.tif 000005
【図４】
2005230588.tif 000006
【図５】
2005230588.tif 000007